(57)【要約】【課題】  チェーンやアイボルトの軸への干渉を防止した軸受組み込み用治具を提供する。【解決手段】  軸受組み込み用治具１１は、円環状部材としての軸受吊り上げ用リング１２と、一端が軸受吊り上げ用リング１２に連結され、他端が軸受要素に連結される複数の連結軸１３とを備える。軸受吊り上げ用リング１２は、複数の連結軸１３の一端を受け入れる複数の孔１２ａと、その上方側端面にアイボルトを取り付けるための複数のねじ穴１２ｂとを有する。【選択図】      図３
2006322547.tif 000002
【特許請求の範囲】
【請求項１】
軸受要素を軸に組み込むのに使用される軸受組み込み用治具であって、
円環状部材と、
一端が前記円環状部材に連結され、他端が前記軸受要素に連結される複数の連結軸とを備える、軸受組み込み用治具。
【請求項２】
前記円環状部材は、前記複数の連結軸の一端を受け入れる複数の孔を有する、請求項１に記載の軸受組み込み用治具。
【請求項３】
前記円環状部材は、その上方側端面にアイボルトを取り付けるための複数のねじ穴を有する、請求項１または２に記載の軸受組み込み用治具。
【請求項４】
前記軸受要素は、円錐ころ軸受の内輪である、請求項１〜３のいずれかに記載の軸受組み込み用治具。
【請求項５】
内輪と、
外輪と、
複数の円錐ころと、
円環状部材と、その一端が前記円環状部材に連結された複数の連結軸とを備えた軸受組み込み用治具を使用して軸に組み込まれる円錐ころ軸受であって、
前記内輪は、その小鍔側端面に、前記複数の連結軸の他端を受け入れて接続するための複数の接続穴を有する、円錐ころ軸受。
【請求項６】
小鍔側端面に複数の接続穴を有する内輪と、
外輪と、
複数の円錐ころとを備える円錐ころ軸受を、
円環状部材と、その一端が前記円環状部材に連結された複数の連結軸とを備えた軸受組み込み用治具を使用して軸に組み込む円錐ころ軸受の組み込み方法であって、
前記内輪の接続穴に前記複数の連結軸を差し込んで接続する工程と、
前記連結軸を介して前記内輪に連結された前記円環状部材を吊り上げて前記内輪を前記軸に組み込む工程と、
前記外輪を吊り上げて前記軸に組み込まれた前記内輪上に置く工程とを有する、円錐ころ軸受の組み込み方法。
【発明の詳細な説明】
【技術分野】
【０００１】
この発明は、径の大きな円錐ころ軸受、軸受を回転軸に組み込むための治具、および、円錐ころ軸受を回転軸に組み込む方法に関するものである。
【背景技術】
【０００２】
従来、転がり軸受、特に大型の円錐ころ軸受を軸に組み込む場合には、特開平８−２１９１６５号公報（特許文献１）に記載されているように、専用の組み込み用治具を用いて、内輪および外輪を別々に軸に組み込む方法が一般的である。
【０００３】
例えば、図１は円錐ころ軸受の内輪２を軸１に組み込む方法を示す。内輪２の小鍔側端面には、複数箇所にねじ穴２ａが設けられている。また、軸１への組み込み前に予め円錐ころ３と円錐ころ３の間隔を保持する保持器４とを配置しておく。そして、内輪２の組み込みは、ねじ穴２ａにアイボルト５を螺合し、チェーン６を介してフック７により内輪２を吊り上げて軸１に組み込む。
【特許文献１】特開平８−２１９１６５号公報（段落番号０００５等）
【発明の開示】
【発明が解決しようとする課題】
【０００４】
しかし、上記方法では、軸受取り付け位置が軸１の先端から遠い場合、チェーン６が軸１に干渉して、内輪２を軸１に組み込むことができないという問題がある。
【０００５】
また、図２に示すように、ねじ穴２ａの位置によってはアイボルト５が内輪２の内径面側に突出して軸１と干渉する可能性がある。さらに、負荷容量の増大に伴う円錐ころ３の大型化や円錐ころ３の接触角の増大によって内輪２が薄肉化されることにより、ねじ穴２ａを設ける位置が制限されることとなるので、この問題がさらに顕在化する恐れがある。
【０００６】
一方、上記の各問題を解決するために、アイボルト５の軸部を長くすることが考えられるが、アイボルト５の剛性の観点から限界がある。また、アイボルト５のリング幅を小さくすることも考えられるが、チェーン６を取り付けるのに必要な幅を確保しなければならない。
【０００７】
そこで、この発明は、チェーンやアイボルトの軸への干渉を防止した軸受組み込み用治具、そのような治具を受け入れ可能な円錐ころ軸受、および、これらを用いた円錐ころ軸受の軸への組み込み方法を提供することを目的とする。
【課題を解決するための手段】
【０００８】
この発明に係る軸受組み込み用治具は、軸受要素を軸に組み込むのに使用される軸受組み込み用治具であって、円環状部材と、一端が円環状部材に連結され、他端が軸受要素に連結される複数の連結軸とを備える。
【０００９】
上記構成の軸受組み込み用治具では、連結軸の直径は、アイボルトのリング幅よりもかなり小さいので、端面幅の小さい軸受要素に使用する場合でも連結軸と軸との干渉を防止することが可能となる。
【００１０】
円環状部材は、例えば、複数の連結軸の一端を受け入れる複数の孔を有する。例えば、円環状部材の一方側端面から他方側端面に貫通する貫通孔を形成し、連結軸を孔に挿通してナット等により連結することが考えられる。
【００１１】
好ましくは、円環状部材は、その上方側端面にアイボルトを取り付けるための複数のねじ穴を有する。これにより、軸受を吊り上げるためのアイボルトやチェーンを円環状部材の上部に配置することとなるので、軸受組み込み時にアイボルトやチェーンが軸に干渉することがない。
【００１２】
軸受要素は、例えば、円錐ころ軸受の内輪である。上記構成の軸受組み込み用治具を使用することにより、円錐ころの大型化や円錐ころの接触角の増大によって内輪が薄肉化された場合でも、治具と軸とが干渉することなく円錐ころ軸受を軸に組み込むことができる。
【００１３】
この発明に係る円錐ころ軸受は、内輪と、外輪と、複数の円錐ころと、円環状部材と、その一端が円環状部材に連結された複数の連結軸とを備えた軸受組み込み用治具を使用して軸に組み込まれる円錐ころ軸受である。そして、内輪は、その小鍔側端面に複数の連結軸の他端を受け入れて接続するための複数の接続穴を有する。
【００１４】
上記構成のような、軸と干渉することのない軸受組み込み用治具を受け入れ可能とすることにより、軸への組み込みが容易な円錐ころ軸受を得ることができる。
【００１５】
この発明に係る円錐ころ軸受の組み込み方法は、小鍔側端面に複数の接続穴を有する内輪と、外輪と、複数の円錐ころとを備える円錐ころ軸受を、円環状部材と、その一端が円環状部材に連結された複数の連結軸とを備えた軸受組み込み用治具を使用して軸に組み込む円錐ころ軸受の組み込み方法である。
【００１６】
具体的には、内輪の接続穴に複数の連結軸を差し込んで接続する工程と、連結軸を介して内輪に連結された円環状部材を吊り上げて内輪を軸に組み込む工程と、外輪を吊り上げて軸に組み込まれた内輪上に置く工程とを有する。
【００１７】
上記工程で円錐ころ軸受の軸への組み込みを行うことにより、大きな軸受組み込み装置を用いることなく、安全かつ簡単に円錐ころ軸受の組み込みを行うことができる。
【発明の効果】
【００１８】
この発明は、アイボルトやチェーンの軸への干渉を防止した軸受組み込み用治具およびそのような治具を受け入れ可能な円錐ころ軸受を得ることができる。さらに、このような軸受組み込み用治具を使用して、安全かつ簡単な円錐ころ軸受の軸への組み込み方法を得ることができる。
【発明を実施するための最良の形態】
【００１９】
図３を参照して、この発明の一実施形態に係る軸受組み込み用治具１１を説明する。
【００２０】
軸受要素を軸に組み込むのに使用される軸受組み込み用治具１１は、円環状部材としての軸受吊り上げ用リング１２と、一端が軸受吊り上げ用リング１２に連結され、他端が軸受要素に連結される複数の連結軸１３とを備える。
【００２１】
軸受吊り上げ用リング１２は、複数の連結軸１３の一端を受け入れる複数の孔１２ａと、その上方側端面にアイボルトを取り付けるための複数のねじ穴１２ｂとを有する。図３に示す実施形態において、孔１２ａは、軸受吊り上げ用リング１２の一方側端面から他方側端面に貫通する貫通孔である。
【００２２】
上記構成の軸受組み込み用治具１１では、軸受を吊り上げるためのアイボルト１４やチェーン（図示せず）を軸受吊り上げ用リング１２の上部に配置するので、軸受組み込み時にアイボルト１４やチェーンが軸に干渉することがない。
【００２３】
なお、図３に示した実施形態では、孔１２ａおよびねじ穴１２ｂを２箇所ずつ設けた例を示したが、任意の数を設けてもよい。その際、吊り上げた状態で平衡を保つために、等間隔に設けることが好ましい。
【００２４】
次に、図４を参照して、この発明の一実施形態に係る円錐ころ軸受であって、図３に示したような軸受組み込み治具を使用して軸に組み込まれる円錐ころ軸受２１を説明する。
【００２５】
図４に示す円錐ころ軸受２１は、内輪２２と、外輪２３と、内輪２２および外輪２３の間に配置された転動体としての複数の円錐ころ２４とを備える。さらに、内輪２２は、その小鍔側端面に、図３に示した軸受組み込み用治具１１の連結軸１３の他端を受け入れて接続するための複数の接続穴２２ａを有する。
【００２６】
上記構成のような、軸受組み込み時に軸と干渉することのない軸受組み込み用治具１１を受け入れ可能とすることにより、軸への組み込みが容易な円錐ころ軸受２１を得ることができる。
【００２７】
次に、図５を参照して、図３に示したような軸受組み込み用治具１１を用いて、図４に示したような円錐ころ軸受２１を軸３０に組み込む方法を説明する。
【００２８】
まず、第１の工程は、軸受組み込み用治具１１の連結軸１３を接続穴２２ａに差し込んで連結する。次に、第２の工程は、軸受組み込み用治具１１を吊り上げて円錐ころ２４と保持器２５を有する内輪２２を軸３０に組み込む。次に、図示はしないが、第３の工程は、外輪２３を吊り上げて軸３０に組み込まれた内輪２１の上に置く。
【００２９】
上記工程で円錐ころ軸受２１の軸への組み込みを行うことにより、大きな軸受組み込み装置を用いることなく、安全かつ簡単に円錐ころ軸受の組み込みを行うことができる。
【００３０】
また、連結軸１３の軸受吊り上げ用リング１２から内輪２２の小鍔側端面までの長さＬ１は、軸３０の軸受組み込み位置、すなわち、軸受組み込み位置での内輪２２の小鍔側端面から軸の先端までの長さＬ２より長く設定する。これにより、軸受吊り上げ用リング１２と軸３０とが干渉することがないので、軸受取り付け位置が軸の先端から遠い場合でも軸受の組み込みを行うことができる。
【００３１】
上記の各実施形態においては、軸受要素として円錐ころ軸受の例を示したが、これに限ることなく、円筒ころ軸受、自動調心ころ軸受、アンギュラ玉軸受、４点接触玉軸受等、転動体がころであるか玉であるかを問わず、また、単列であるか複列であるかを問わずに適用することができる。
【００３２】
図４に示す実施形態では、内輪２２の小鍔側端面にのみ連結軸１３の他端を受け入れる接続穴２２ａを形成する例を示したが、これに限ることなく、大鍔側端面に接続穴を有することとしてもよい。例えば、複列円錐ころ軸受の分割内輪の一方側には、小鍔側端面に接続穴を形成し、分割内輪の他方側には、大鍔側端面に接続穴を形成する。
【００３３】
また、複列円錐ころ軸受を軸に組み込む場合、上記の円錐ころ軸受の組み込み方法に加えて、第４の工程として、軸受組み込み用治具の連結軸を内輪の大鍔側端面に設けられた接続穴に差し込んで連結し、第５の工程として、軸受組み込み用治具を吊り上げて円錐ころと保持器を有する内輪を軸に組み込む。
【００３４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３５】
この発明は、径の大きな円錐ころ軸受、そのような軸受を回転軸に組み込むための治具、および、円錐ころ軸受の組み込み方法に有利に利用される。
【図面の簡単な説明】
【００３６】
【図１】従来の円錐ころ軸受の軸への組み込み方法を示す図である。
【図２】図１の円錐ころ軸受の拡大図である。
【図３】本発明の一実施形態に係る軸受組み込み用治具を示す図である。
【図４】本発明の一実施形態に係る円錐ころ軸受を示す図である。
【図５】本発明の一実施形態に係る円錐ころ軸受組み込み方法を示す図である。
【符号の説明】
【００３７】
１，３０  軸、２１  円錐ころ軸受、２，２２  内輪、２ａ，１２ｂ  ねじ穴、２２ａ  接続穴、２３  外輪、３，２４  円錐ころ、４，２５  保持器、５，１４  アイボルト、６  チェーン、７  フック、１１  軸受組み込み用治具、１２  軸受吊り上げ用リング、１２ａ  孔、１３  連結軸。
【図１】
2006322547.tif 000003
【図２】
2006322547.tif 000004
【図３】
2006322547.tif 000005
【図４】
2006322547.tif 000006
【図５】
2006322547.tif 000007